(57)【要約】  ウォッチなどのウェアラブル電子デバイスは、電子デバイスの一部とインタフェースをとる取り外し可能なモジュールを接続及び解放するための取り付けシステムを備えることができる。例えば、ウォッチ筐体は、ウォッチバンドを受け入れるための溝及び溝に延びる第１の開口部を有する本体部を含む。本体部に結合された背面カバーは、第２の開口部を提供する。ユニボディーボタンは、本体部と背面カバーとの間に配置される。ボタンは、背面カバーに対して付勢され、内部に係合されたウォッチバンドを解放するように溝に向かって移動可能である。
2019536998.tif 000002
【特許請求の範囲】
【請求項１】
第１の開口部、及びウォッチバンドを受け入れるためのバンド保持機構を有する本体部と、
第２の開口部を有する背面カバーと、
フランジを含み、前記第１の開口部及び第２の開口部を少なくとも部分的に通って延びるボタンと、
前記フランジと前記本体部との間のばね要素と、
を備える、ウォッチ筐体。
【請求項２】
ユーザに視覚出力を表示し、ユーザからタッチ入力を受け取るように構成されたタッチスクリーンと、
マイクロフォンと、
スピーカと、
別のデバイスと無線で通信するための通信構成要素と、
前記背面カバーを介してユーザの特性を検出するように構成されたセンサと、
を更に備える、請求項１に記載のウォッチ筐体。
【請求項３】
光源及び光検出器を含むフォトプレチスモグラフィセンサを更に備え、
前記背面カバーは、前記光源からの光を透過するための第１の窓、及び前記光検出器への光を透過するための第２の窓を含む、請求項１に記載のウォッチ筐体。
【請求項４】
ユーザの心電（ＥＣＧ）特性を検出するように構成されたセンサを更に備え、前記背面カバーは、前記センサに動作可能に接続された電極を含む、請求項１に記載のウォッチ筐体。
【請求項５】
前記第１の開口部及び前記第２の開口部は、前記ウォッチ筐体内の連続空間を形成するように接続されている、請求項１に記載のウォッチ筐体。
【請求項６】
前記フランジは、前記ボタンの第１の部分と前記ボタンの第２の部分との間にある、請求項１に記載のウォッチ筐体。
【請求項７】
前記ボタンは、前記第１の部分が少なくとも部分的に前記第１の開口部内にある第１の位置と、前記第２の部分が少なくとも部分的に前記第２の開口部内にある第２の位置との間で移動可能である、請求項１に記載のウォッチ筐体。
【請求項８】
前記ボタンは、前記第２の開口部を介してユーザによってアクセス可能である、請求項１に記載のウォッチ筐体。
【請求項９】
ウォッチバンドを受け入れるためのバンド保持機構を有する本体部と、
背面カバーと、
少なくとも部分的に前記本体部と前記背面カバーとの間にあるボタンと、
を備えるウォッチ筐体であって、
前記ボタンは前記背面カバーに向かって付勢され、前記ボタンは、押圧されると、前記バンド保持機構から前記ウォッチバンドを解放し、前記バンド保持機構に対する前記ボタンの移動が前記本体部によって制限されている、
ウォッチ筐体。
【請求項１０】
前記背面カバーを介してユーザの心拍数を感知するように構成されたセンサを更に備える、請求項９に記載のウォッチ筐体。
【請求項１１】
ユーザの心電（ＥＣＧ）特性を検出するように構成されたセンサを更に備え、前記背面カバーは前記センサに動作可能に接続された電極を含む、請求項９に記載のウォッチ筐体。
【請求項１２】
前記ボタンは、前記ボタンが前記背面カバーに対して静止する静止位置に付勢されている、請求項９に記載のウォッチ筐体。
【請求項１３】
前記ボタンは、前記静止位置にある間に、前記背面カバーの表面と同一平面かつ連続する表面を有する、請求項１２に記載のウォッチ筐体。
【請求項１４】
前記バンド保持機構は溝を含み、前記ボタンは、前記ボタンの表面が前記溝の表面と同一平面かつ連続するまで、前記溝に向かって移動可能である、請求項９に記載のウォッチ筐体。
【請求項１５】
前記ボタンは、押圧されると、前記ウォッチ筐体と相互作用する前記ウォッチバンドの部分を作動させる、請求項９に記載のウォッチ筐体。
【請求項１６】
前記バンド保持機構から離れる方向の前記ボタンの移動は、前記背面カバーによって制限されている、請求項９に記載のウォッチ筐体。
【請求項１７】
ウォッチバンドを受け入れるための溝及び前記溝に延びる第１の開口部を有する本体部と、
第２の開口部を有する背面カバーと、
前記第１の開口部を少なくとも部分的に通って延びる第１の部分、前記第２の開口部を少なくとも部分的に通って延びる第２の部分、及び前記第１の部分と前記第２の部分との間のフランジを含む、ボタンと、
前記フランジと前記本体部との間のばね要素と、
を備えるウォッチ筐体であって、
前記ばね要素は前記背面カバーに前記フランジを付勢し、前記ボタンは、前記溝から前記ウォッチバンドを解放するように、前記背面カバーから離れる方向に押圧可能である、ウォッチ筐体。
【請求項１８】
前記背面カバーは前記本体部に結合され、
前記第１の開口部及び前記第２の開口部は、前記ウォッチ筐体内の連続空間を形成するように接続され、
前記フランジは、前記第１の開口部及び前記第２の開口部よりも大きい断面寸法を有し、
前記ボタンの前記第１の部分は前記第１の開口部内にスプラインを形成し、前記ボタンの前記第２の部分は前記第２の開口部内にスプラインを形成し、
前記ボタンは、前記第１の部分が前記溝と同一平面にある第１の位置と、前記第２の部分が前記背面カバーの表面と同一平面にある第２の位置との間で移動可能である、請求項１７に記載のウォッチ筐体。
【請求項１９】
前記ウォッチ筐体はセンサを含み、前記背面カバーは、前記センサへの光又は前記センサからの光を透過するための窓を含む、請求項１７に記載のウォッチ筐体。
【請求項２０】
前記バネ要素は、前記ボタンから前記本体部に取り付けられた保持部材まで延びる弾性アームを含む、請求項１７に記載のウォッチ筐体。
【請求項２１】
前記背面カバーの前記第２の開口部及び前記ボタンの前記第２の部分がそれぞれ、深さに沿ってテーパ状の断面寸法を有する、請求項１７に記載のウォッチ筐体。
【発明の詳細な説明】
【技術分野】
【０００１】
関連出願の相互参照
本出願は、２０１７年６月６日に出願された、「ＡＴＴＡＣＨＭＥＮＴ  ＳＹＳＴＥＭ  ＦＯＲ  ＷＡＴＣＨＢＡＮＤ」と題する米国特許仮出願第６２／５１６，０４３号の利益を主張するものであり、同出願の全体が参照により本明細書に援用される。
【０００２】
本明細書は、概して、ウェアラブルデバイスの固定に関し、より具体的には、ウォッチバンド用の取り付けシステムに関する。
【背景技術】
【０００３】
一部の電子デバイスは、ユーザに着脱可能に取り付けることができる。例えば、リストウォッチ又はフィットネス／健康追跡デバイスは、ウォッチバンドの自由端を一緒に接合することによってユーザの手首に取り付けることができる。多くの場合、ウォッチバンドは、限定されたフィット調整増加分を使用可能とすることができる。例えば、いくつかのバンドは、小刻みにユーザ調節可能なサイズ（例えば、座屈留め金、ピン、及びアイレットなど）を有するのに対し、他のバンドは、実質的に固定されたサイズを有し、特殊な工具及び／又は専門技術によってのみ調節可能である（例えば、折り畳み式留め金、展開留め金、スナップ嵌め留め金など）。他のバンドは、ユーザの手首の周囲にフィットするように伸張する、伸縮性のある伸張型バンドとすることができる。ユーザに対する電子デバイスの快適性及び固定の程度は、ウォッチバンドの機能及び構成に依存し得る。
【０００４】
ウォッチ、カメラ、電話、ハンドバッグ、及び眼鏡などの消費者製品は、それに取り付けられた１つ以上のアクセサリを含むことができる。それらが取り付けられる方法は、多種多様であり得る。しかし、それらは、典型的には、同じでない場合には類似の欠点を有する。例えば、多くの消費者製品は、典型的には、ユーザフレンドリーな取り付けシステムを含まない。一部のものは、特殊な工具を必要とすることがあり、他のものは、アクセサリを取り外す、取り付ける、又は交換するために、その消費者製品を店に持ち込む必要さえあることがある。更に、製品がユーザ本位の取り付け機構を有する場合であっても、適切な保持力を提供しない場合がある。保持力が適切である場合でも、使用される機構は、非常に頑丈かつ大きく、それによって、消費者製品の気品に悪影響を及ぼすことがある。
【０００５】
一例では、リストウォッチは、典型的には、ケース及びバンドを含む。ケースは、表面を含むリストウォッチの構成要素又は機構を保持する。バンドは、ユーザの手首に巻き付けることができるように、ケースから離れる方向に延びる。バンドは、ケースと一体とすることができる。しかしながら、ほとんどの場合、バンドは、ケースに取り付けられた別個の部品である。例えば、ケースは、バンドを捕らえそれによってバンドをケースに取り付ける、ピンを含むことができる。ケースからバンドを取り外すためには、ピンを取り外す必要がある。場合によっては、バンドの取り外しは、特殊な工具により実現することができる。しかしながら、多くの場合、ユーザは、バンドを取り外すために、専門店を訪問する又は技能者の支援を得る必要があり得る。
【図面の簡単な説明】
【０００６】
主題の技術のある特徴を、添付の特許請求の範囲に示す。しかしながら、説明の目的のため、本願の技術のいくつかの実施形態を、以下の図に示す。
【０００７】
【図１】本開示のいくつかの実施形態に係る、ウォッチの斜視図ある。
【０００８】
【図２】本開示のいくつかの実施形態に係る、ウォッチ筐体の側面図である。
【０００９】
【図３】本開示のいくつかの実施形態に係る、ウォッチ筐体の背面図である。
【００１０】
【図４】本開示のいくつかの実施形態に係る、ウォッチ筐体の分解斜視図ある。
【００１１】
【図５】本開示のいくつかの実施形態に係る、ウォッチ筐体及びウォッチバンドコネクタの斜視図である。
【００１２】
【図６】本開示のいくつかの実施形態に係る、図３の断面Ａ−Ａのウォッチ筐体及びウォッチバンドコネクタの断面図である。
【００１３】
【図７】本開示のいくつかの実施形態に係る、図６のウォッチ筐体及びウォッチバンドコネクタの断面図である。
【００１４】
【図８】本開示のいくつかの実施形態に係る、図６のウォッチ筐体及びウォッチバンドコネクタの断面図である。
【００１５】
【図９】本開示のいくつかの実施形態に係る、ウォッチ筐体及びウォッチバンドコネクタの断面図である。
【００１６】
【図１０】本開示のいくつかの実施形態に係る、ウォッチ筐体及びウォッチバンドコネクタの断面図である。
【発明を実施するための形態】
【００１７】
以下に述べる詳細な説明は、本願の技術の様々な構成の説明として意図されており、本願の技術を実施できる唯一の構成を表すことを意図するものではない。添付の図面は、本明細書に組み込まれ、詳細な説明の一部を構成する。詳細な説明は、本願の技術の完全な理解を提供するために特定の詳細を含む。しかし、本願の技術は、本明細書において説明されている具体的詳細に限定されず、これらの具体的詳細なしに実施され得ることが当業者には明確であり、明らかであろう。いくつかの場合には、本願の技術のコンセプトを不明瞭にすることを回避するために、周知の構造体及び構成要素はブロック図の形態で示されている。
【００１８】
ウォッチなどのウェアラブル電子デバイスは、電子デバイスの一部とインタフェースをとる取り外し可能なモジュールを接続及び解放するための取り付けシステムを備えることができる。例えば、ウォッチは、ウォッチ筐体に接続しウォッチ筐体をユーザの手首に固定するウォッチバンドを含むことができる。ウォッチバンドは、ウォッチ筐体の関連又は対応するモジュール、凹部、孔部、又は構成要素と係合する。
【００１９】
そのようなモジュール用の取り付けシステムは、確実な保持、解放の容易さ、及び美的品質を提供することが所望される。例えば、ウォッチ用の取り付けシステムは、ウォッチの外観及び感触に悪影響を及ぼすことなく、ウォッチバンドを保持し、選択的に解放することが望ましい。そのようなシステム用の部品が小さいことがあるため、部品がユーザによる操作に応答するように、小さな公差を有する精密な製造が好ましい。
【００２０】
ボタンは、ウォッチバンドの取り付けユニットをウォッチ筐体の溝に保持しそれから解放するために設けることができる。ボタンが複数の部品から製造される場合、製造の複雑さ及びコストは、相対的に高いことがある。いくつかの設計では、ボタンの複数の部品は、ウォッチ筐体内に組み立てられなければならず、これは、欠陥のある組立のリスクをもたらす追加の工程である。部品間の相互接続（例えば、スナップ嵌め）は、１つの部品の作動が他の部品に不適切に転換されることがあるため、性能不良をまねくことがある。更に、複数の部品は、互いに対して移動することがあり、それにより、ウォッチ筐体に対する表面位置合わせなどの美的特徴は、精密に実現することが困難であることがある。
【００２１】
本開示の実施形態は、ウォッチバンドの取り付けユニットをウォッチ筐体の溝に保持しそれから解放するためのユニボディーボタンを提供する。ボタンは、ウォッチ筐体と、ボタンが付勢される背面カバーとの間に移動可能に収容される。ユニボディー構成により、ボタンは、小さな公差で製造することができる。小型ユニボディー部品の製造は、複数の構成部品よりも簡単かつ安価である。部品の総数は低減され、それによって、組立を簡単にする。ボタンの構成部品間のインタフェースを排除することにより、ボタンの１つの部分における動作（例えば、力、付勢、及び係合）は、ボタンの他の部分に直接転換する。周囲表面に対するボタンの組立公差及びその後の外見の変動は、ボタン組立要件の排除により低減される。
【００２２】
図１は、本開示の１つ以上の実施形態に係る、取り付けシステムの取り付けユニット１２とともに使用可能なウォッチ筐体３０を含むウォッチ１０を示す。ウォッチに関する教示は、ウェアラブル及び／又はポータブルコンピューティングデバイスを含む他の電子デバイスに適用することができることが理解されよう。例としては、携帯電話、スマートフォン、タブレットコンピュータ、ラップトップコンピュータ、計時デバイス、コンピュータ化メガネ及びその他のウェラブルデバイス  ナビゲーションデバイス、スポーツデバイス、アクセサリデバイス、健康監視デバイス、医療デバイス、リストバンド、ブレスレット、宝飾品、及び／又は同様のものが挙げられる。
【００２３】
いくつかの実施形態によれば、ウォッチ１０に含まれる構成要素の１つは、１つ以上のＩ／Ｏシステムとすることができる。例えば、ウォッチ１０は、ウォッチ１０に関する様々な情報を出力するように構成されたタッチスクリーン２０を含むことができる。ウォッチ１０のタッチスクリーン２０は、入力を受け取るように構成することもできる。ウォッチ１０はまた、他の入力及び出力メカニズムを有することができる。例えば、ウォッチ１０は、１つ以上のボタン、クラウン、キー、ダイヤル、トラックパッド、マイクロフォンなどを含む、又はそれらとインタフェースすることができる。
【００２４】
ウォッチ１０は、ウォッチ筐体３０と、ウォッチ筐体３０の本体部１４に取り外し可能に結合することができる１つ以上の取り付けユニット１２とを含むことができる。ウォッチ筐体３０は、ウォッチ１０の周辺領域を囲むとともに、ウォッチ１０の内部構成要素をそれらの組み立てられた位置に支持するように機能する。例えば、ウォッチ筐体３０は、様々な内部構成要素（例えば、集積回路チップ、プロセッサ、メモリデバイス、及び他の回路を含む）を取り囲んで支持して、ウォッチ１０に計算動作及び機能的動作を提供する。
【００２５】
ウォッチ１０は、ウォッチ１０を手首に取り付けるためのウォッチバンド１８を利用することができる。例えば、図１に示すように、ウォッチバンド１８は、ウォッチ１０の第１の取り付けユニット１２に取り付けられた第１のバンドストラップ６２、及びウォッチ１０の第２の取り付けユニット１２に取り付けられた第２のバンドストラップ６４を含むことができる。いくつかの実施形態では、第１のバンドストラップ６２及び第２のバンドストラップ６４の自由端は、ループを形成するように、留め金６６又は他の取り付け機構を使用して、互いに解放可能に取り付けられる又は固定されるように構成されてもよい。次に、このループを使用して、ウォッチ１０をユーザの手首に取り付けることができる。
【００２６】
単一の取り付けユニット１２を本明細書で説明しているが、複数の取り付けユニット１２を、ウォッチ筐体３０に結合することができる。複数の取り付けユニット１２が使用される場合、図１に示すように、ウォッチ筐体３０は、本体部１４の第１の側部及び第２の側部上にバンド保持機構（例えば、溝１６、ラッチ、クリップ、凹部、係止、又は他のそのような結合節点）を有することができる。図１のバンド保持機構は溝として示されているが、他の保持機構を適用することができることが理解されるであろう。ウォッチ筐体３０の本体部１４の第１の側部上の溝１６は、取り付けユニット１２のうちの１つを受け入れることができ、ウォッチ筐体３０の本体部１４の第２の側部上の溝１６は、別の取り付けユニット１２を受け入れることができる。取り付けユニット１２は、同じ若しくは異なるサイズ及び／又は形状を有することができ、サイズ及び／又は形状は、対応する溝１６のサイズ及び／又は形状に対応する。
【００２７】
いくつかの実施形態によれば、例えば、図２に示すように、本体部１４は、対応する取り付けユニット１２に機械的に係合する１つ以上の溝１６を含む。本体部１４上の溝１６は、開口部を含み、一方、取り付けユニット１２は、開口部内に嵌合するラグを含む。開口部は、様々な異なる形状及び向きに構成することができる。更に、開口部は、以下に詳細に説明するようになど、ラグを取り外し可能に受け入れるように構成される。
【００２８】
図２に更に示すように、ウォッチ１０は、ユーザと対話することを含む様々な機能を実行するための構成要素を含むことができる。例えば、ウォッチ１０は、ユーザと対話するための構成要素を含むことができる。タッチスクリーン２０は、ウォッチ１０に視覚（例えば、画像又はビデオ）出力を提供することができる。タッチスクリーン２０はまた、タッチ感知デバイス、力感知デバイス、温度感知デバイス、及び／又は指紋センサなどの１つ以上のタッチ入力デバイスに対する入力面を提供することができる。タッチスクリーン２０は、ウォッチ１０の筐体内に少なくとも部分的に含めるのに適した任意のサイズとすることができ、ウォッチ１０の実質的にどこにでも配置することができる。
【００２９】
ウォッチ１０は、ユーザからの入力を受け取る及び／又はユーザに出力を提供するための１つ以上の他のユーザインタフェース７６を更に含むことができる。例えば、ユーザから入力を受け取るために、１つ以上のボタン、ダイヤル、クラウン、スイッチ、又は他のデバイスを提供することができる。ユーザインタフェース７６は、スピーカ、マイクロフォン、及び／又は触覚デバイスを含むことができる。触覚デバイスは、力フィードバック、振動フィードバック、触感などを提供するように構成された任意の好適なデバイスとして実装することができる。例えば、一実施形態では、触覚デバイスは、タップ又はノックなどの断続触覚フィードバックを提供するように構成されたリニアアクチュエータとして実装することができる。
【００３０】
図２に更に示すように、ウォッチ１０は、その上に記憶された命令を有するメモリを含む又はメモリにアクセスするように構成された、１つ以上の処理ユニット７２を含む。命令又はコンピュータプログラムは、ウォッチ１０に関して説明する動作又は機能のうちの１つ以上を実行するように構成されてもよい。データ又は命令の処理、受信、又は送信が可能な任意の電子デバイスとして処理ユニット７２を実装することができる。例えば、処理ユニット７２は、マイクロプロセッサ、中央演算処理装置（central processing unit、ＣＰＵ）、特定用途向け集積回路（application-specific integrated circuit、ＡＳＩＣ）、デジタル信号プロセッサ（digital signal processor、ＤＳＰ）、又はそのようなデバイスの組み合わせのうちの１つ以上を含んでもよい。本明細書に記載する場合、用語「プロセッサ」とは、単一のプロセッサ若しくは処理ユニット、複数のプロセッサ若しくは複数の処理ユニット、他の適切に構成されたコンピューティング要素（単数又は複数）を包含することを意図するものである。メモリは、ウォッチ１０によって使用され得る電子データを記憶することができる。例えば、メモリは、例えば、オーディオ及びビデオファイル、文書及びアプリケーション、デバイス設定及びユーザプリファレンス、様々なモジュールのためのタイミング及び制御信号又はデータ、データ構造又はデータベースなどの、電気データ又はコンテンツを記憶することができる。メモリは、任意の種類のメモリとして構成することができる。単なる例示であるが、メモリは、ランダムアクセスメモリ、読み出し専用メモリ、フラッシュメモリ、取り外し可能メモリ、若しくは他の種類の記憶素子、又はそのようなデバイスの組み合わせとして実装されてもよい。
【００３１】
図２に更に示すように、ウォッチ１０は、標準又は独自プロトコルにわたって他の電子デバイスへの若しくは他の電子デバイスからのデータ及び／又は電力の伝送を容易にする通信構成要素７４を含んでもよい。例えば、通信構成要素７４は、無線及び／又は有線ネットワーク接続を介して電子信号を送信することができる。無線及び有線のネットワーク接続の例としては、セルラー、Ｗｉ−Ｆｉ（登録商標）、Ｂｌｕｅｔｏｏｔｈ（登録商標）、赤外線、ＲＦＩＤ、及びイーサネットが挙げられるが、これらに限定されない。
【００３２】
図２に更に示すように、ウォッチ１０はまた、バイオセンサなどの、ウォッチ１０上の実質的にどこにでも配置される１つ以上のセンサ７８を含むことができる。１つ以上のセンサ７８は、画像、圧力、光、タッチ、力、温度、位置、動きなどだがこれらに限定されない、実質的に任意の種類の特性を感知するように構成されてもよい。例えば、センサ（単数又は複数）７８は、光検出器、温度センサ、光又は光学センサ、気圧センサ、湿度センサ、磁石、ジャイロスコープ、加速度計などでもよい。他の実施例では、ウォッチ１０は、１つ以上の健康センサを含んでもよい。いくつかの実施例では、健康センサは、背面カバー２２付近などのウォッチ１０の筐体の底面上に配置することができる。１つ以上のセンサ７８は、１つ以上のバイオメトリック特性を計算するために使用することができる光学及び／又は電子バイオメトリックセンサを含むことができる。センサ７８は、フォトプレチスモグラフィ（photoplethysmography）（ＰＰＧ）センサを形成するように光源及び光検出器を含むことができる。光は、センサ７８からユーザに伝達され、センサ７８に戻ることができる。例えば、本体部１４及び／又は背面カバー２２は、センサ７８への及び／又はセンサ７８からの光を透過するように、１つ以上の窓９０（例えば、開口部、透過媒体、及び／又はレンズ）を提供することができる。光（例えば、ＰＰＧ）センサ（単数又は複数）が、心拍数、呼吸速度、血中酸素濃度、血液量推定、血圧、又はこれらの組み合わせを含むが、これらに限定されない、様々なバイオメトリック特性の計算に使用されてよい。センサ７８のうちの１つ以上はまた、１つ以上の電極を使用して電気測定を実行するように構成されてもよい。電気センサ（単数又は複数）を使用して、ユーザの身体の心電（electrocardiographic）（ＥＣＧ）特性、電気皮膚抵抗、及び他の電気特性を測定することができる。加えて又は代わりに、センサ７８は、体温、紫外線への曝露、及び他の健康関連情報を測定するように構成することができる。
【００３３】
図２に更に示すように、ウォッチ１０は、ウォッチ１０の他の構成要素に対する電力を貯蔵し供給するために使用される電池８０を含むことができる。電池８０は、ウォッチ１０に電力を供給するように構成された再充電式電源であってもよい。ウォッチ１０はまた、無線充電システムを用いて電池８０を再充電するように構成することができる。
【００３４】
図３は、本開示の１つ以上の実施形態に係る、図１のウォッチ１０の底面図を示す。背面カバー２２又は複数の背面カバーが、本体部１４の一部分の上に設けられてもよい。ボタン３４は、本体部１４の下面上に配置することができる。代わりに又は加えて、ボタン３４は、本体部１４の上面に配置する又は位置することができる。背面カバー２２は、１つ以上のボタン３４の少なくとも一部分を囲むことができる。いくつかの実施形態によれば、ボタン３４は、取り付けユニット１２のロック機構を溝１６から解放するために使用することができる。ボタン３４の作動により、取り付けユニット１２を解放し、これにより、取り付けユニット１２を溝１６から取り外すことができる。
【００３５】
背面カバー２２は、ウォッチ１０の本体部１４の実質的な部分を覆うことができる。例えば、背面カバー２２は、本体部１４の１つの側上の本体部１４の大部分（例えば、本体部１４の１つの側上の表面積の５０％、６０％、７０％、８０％、若しくは９０％より多く、又は最大１００％）を覆うことができる。背面カバー２２は、おおよそ、ともに本体部１４内にある１つの溝から別の溝まで延びることができる。背面カバー２２は、ウォッチ１０が装着されるとユーザの手首によって接触される筐体の表面の全部を提供することができる。
【００３６】
背面カバー２２は、背面カバー２２上で又は背面カバー２２を介して通信、アクセス、又は機能を提供する１つ以上の構成要素８８を含むことができる。構成要素８８は、１つ以上の窓９０、１つ以上の電極９２、及び／又は１つ以上のモジュール９４を含むことができる。図３の構成要素８８は格子パターンに整列された正方形として表されているが、構成要素８８は、任意のサイズ、形状、及び／又は配置とすることができることが理解されるであろう。例えば、構成要素８８は、正方形、矩形、多角形、輪状、曲線状、弓状、円形、半円形、平坦、又は別の形状とすることができる。構成要素８８（例えば、窓９０、電極９２、及び／又はモジュール９４）は、同じサイズ、異なるサイズ、同じ形状、又は異なる形状とすることができる。構成要素８８（例えば、窓９０、電極９２、及び／又はモジュール９４）は、背面カバー２２の表面に沿ってパターン又は別の配置に分布することができる。１つの種類の構成要素８８の少なくとも一対（例えば、窓９０、電極９２、及びモジュール９４）は、別の種類の構成要素８８によって互いに分離することができる。構成要素８８（例えば、窓９０、電極９２、及び／又はモジュール９４）のうちの１つ以上は、構成要素８８（例えば、窓９０、電極９２、及び／又はモジュール９４）のうちの別の１つ以上を部分的に又は完全に囲むことができる。例えば、電極９２の少なくとも一部は、窓９０及び／又はモジュール９４のうちの１つ以上を部分的又は完全に囲むことができる。窓９０の少なくとも一部は、１つ以上の他の窓９０を部分的に又は完全に囲むことができる。例えば、１つ以上の中央の窓９０を使用して、光を１つの方向に透過させることができ、他の周囲の窓９０を使用して、別の方向に光を透過させることができる。加えて又は代わりに、窓９０は、電極９２及び／又はモジュール９４のうちの１つ以上を部分的に又は完全に囲むことができる。構成要素８８は、背面カバー２２の内面及び／若しくは外面に沿って延びることができ、並びに／又は背面カバー２２の幅の中に若しくはそれを通って（例えば、背面カバー２２の両側の間及びそれに対して）延びることができる。
【００３７】
背面カバー２２は、本体部１４内のセンサへの及び／又はセンサからの光を透過するように、光学経路を形成する１つ以上の窓９０を提供することができる。窓９０を透過する光により、光（例えば、ＰＰＧ）センサ（単数又は複数）が、心拍数、呼吸速度、血中酸素濃度、血液量推定、血圧、又はこれらの組み合わせを含むが、これらに限定されない、様々なバイオメトリック特性の計算に使用されてよい。窓９０は、開口部、透過媒体、光学フィルタ、及び／又はレンズを形成することができる。任意の数の窓９０を提供することができることが理解されるであろう。１つ以上の窓９０は、本体部１４内の発光デバイスからの光の透過を提供することができる。１つ以上の窓９０は、本体部１４内の光検出デバイス（例えば、センサ）への光の透過を提供することができる。窓９０は、任意のサイズ、形状、及び配置とすることができる。例えば、窓９０は、ウォッチがユーザによって着用されたときに、センサ及び／又はユーザの標的領域（単数又は複数）と整列するように配置することができる。
【００３８】
背面カバー２２は、背面カバー２２を通して又は背面カバー２２に沿って導電性経路を提供するように、１つ以上の電極９２を提供することができる。電極９２は、電気測定を実行するように動作して、例えば、ユーザの身体及び／又は環境の心電（ＥＣＧ）特性、電気皮膚抵抗、及び他の電気特性を測定することができる。任意の数の電極９２を提供することができることが理解されるであろう。各電極９２は、他の電極９２及び／又はウォッチの他の構成要素から絶縁することができる。１つ以上の電極９２は、第１の端子として動作することができ、１つ以上の電極９２は、追加の端子として動作することができる。電極９２は、任意のサイズ、形状、及び配置とすることができる。例えば、電極９２は、ウォッチがユーザによって着用されたときに、ユーザの標的領域（単数又は複数）と整列するように配置することができる。
【００３９】
背面カバー２２は、追加の機能を提供する１つ以上のモジュール９４を提供することができる。１つ以上のモジュール９４は、体温、紫外線への曝露、及び他の健康関連情報の測定を提供する又は容易にすることができる。１つ以上のモジュール９４は、体温、紫外線への曝露、及び他の健康関連情報の測定を提供する又は容易にすることができる。１つ以上のモジュール９４は、画像、圧力、光、タッチ、力、温度、位置、動きなどの検出を提供又は容易にするように構成することができる。１つ以上のモジュール９４は、温度センサ、光又は光学センサ、気圧センサ、湿度センサ、磁石、ジャイロスコープ、加速度計などを含む、又はそれらの動作を容易にすることができる。１つ以上のモジュール９４は、例えば、測定のために外部環境への露出を提供するために、背面カバー２２を部分的に又は完全に通って延びる開口部を含むことができる。
【００４０】
図４は、本開示の１つ以上の実施形態に係る、図１のウォッチ１０の分解斜視図を示す。ボタン３４は、背面カバー２２と本体部１４との間に配置することができる。ボタン３４の両側上に背面カバー２２及び本体部１４を設けることにより、ボタン３４を収容するようにウォッチ１０を組み立てることができる。そのように、ボタン３４は、ウォッチ１０内に組み立てられる部品の組立体ではなく、ユニボディー構造体とすることができる。本明細書で使用するとき、ユニボディー構造体は、単一部品から一体的に形成されるものである。例えば、ボタン３４は、一体構造の構造体であってもよい。ユニボディーボタン３４を提供することにより、ボタン３４は、組み立てられた部品内で生じる寸法変化を含まない。したがって、ユニボディーボタン３４を、より正確かつ一貫した寸法に製造することができる。これにより、ユニボディーボタン３４は、ユニボディーボタン３４が配置される本体部１４及び背面カバー２２の寸法とより正確に一致することができる。
【００４１】
いくつかの実施形態によれば、ボタン３４は、本体部１４の筐体開口部２６と位置合わせされる。筐体開口部２６は、本体部１４を貫通して少なくとも溝１６まで延びる。いくつかの実施形態では、筐体開口部２６は、取り付けユニット１２の面が本体部１４の溝１６及び／又は１つ以上の側壁に対して同一平面又は実質的に同一平面である場合に、取り付けユニット１２のロック機構が筐体開口部２６と位置合わせされるように、溝１６内に配置される。例えば、本体部１４の溝１６は、取り付けユニット１２の近位端又は遠位端のいずれかを受け入れるように構成される。取り付けユニット１２の近位端又は遠位端のいずれかが溝１６によって受け入れられると、取り付けユニット１２は、取り付けユニット１２のロック機構が本体部１４内に含まれた筐体開口部２６に延びる、係合する、又は別の方法で入るまで、溝１６内を摺動する又は移動することができる。
【００４２】
いくつかの実施形態によれば、ボタン３４は、背面カバー２２のカバー開口部２４と位置合わせされる。カバー開口部２４は、背面カバー２２を貫通してその反対側の表面に延びる。背面カバー２２は、ボタン３４が筐体開口部２６及びカバー開口部２４内に固定されるように、本体部１４上に配置することができる。ユーザは、背面カバー２２のカバー開口部２４でボタン３４にアクセスすることができる。ボタン３４は、カバー開口部２４及び筐体開口部２６の少なくとも一部を通って移動可能とすることができ、一方で、背面カバー２２は、本体部１４に固着される。
【００４３】
筐体開口部２６及びカバー開口部２４は、ボタン３４の一部分を収容するように、様々な形状及びサイズのうちの１つ以上を提供することができる。例えば、筐体開口部２６及びカバー開口部２４の形状及び／又はサイズは、ボタン３４の対応する部分を補完することができる。筐体開口部２６及び／又はカバー開口部２４は、円形、矩形、楕円形、菱形形状、及び／又は多角形の断面形状を有することができる。筐体開口部２６及びカバー開口部２４は、同じ若しくは異なる形状及び／又はサイズを有することができる。いくつかの実施形態によれば、カバー開口部２４は、ボタン３４を作動させる指の爪及び／又は工具に対応するように、筐体開口部２６より大きい。所与の本体部１４の別個の筐体開口部２６は、同じ若しくは異なる形状及び／又はサイズを有することができる。所与の背面カバー２２の別個のカバー開口部２４は、同じ若しくは異なる形状及び／又はサイズを有することができる。任意の所与の筐体開口部２６又はカバー開口部２４に対して、断面形状及び／又はサイズは、その深さに沿って同じ又は異なることができる。
【００４４】
いくつかの実施形態によれば、例えば、図５に示すように、取り付けユニット１２は、ウォッチ１０の本体部１４に横方向に挿入することができる。そのように、取り付けユニット１２は、ウォッチ１０の本体部１４に対して摺動するように構成することができる。代わりに又は加えて、取り付けユニット１２は、本体部１４の溝１６に押圧する、スナップ嵌めする、又は別の方法で前方に挿入することができる。挿入されると、取り付けユニット１２は、本体１４内にロックする、又は別の方法で固定することができる。例えば、ロック機構（例えば、ラグ）は、溝１６内の少なくとも筐体開口部２６に係合することができる。
【００４５】
図６は、本開示の１つ以上の実施形態に係る、図１のウォッチ１０の断面図を示す。取り付けユニット１２は、本体部１４の部分を互いに分離する溝１６内に示されている。いくつかの実施形態によれば、例えば、図６に示すように、ボタンは、互いに結合された背面カバー２２と本体部１４との間に移動可能に収容されている。背面カバー２２のカバー開口部２４は、本体部１４の筐体開口部２６から横断して設けられ、それにより、溝１６から背面カバー２２の外面に連続的な開口部が設けられている。取り付けユニット１２のロック機構（例えば、ラグ８）は、筐体開口部２６と位置合わせされるとその中に係合する。この位置では、取り付けユニット１２は、ラグ８が筐体開口部２６から解放されるまで、溝１６内で移動することができない、又は溝１６から取り外すことができない。
【００４６】
いくつかの実施形態によれば、ボタン３４は、様々な領域を含む。ボタン３４の領域は、明確に分離可能ではなく、むしろユニボディー構造体の複数の領域である。ボタン３４は、カバー開口部２４を少なくとも部分的に通って延びることができる背面部分４０を含む。背面部分４０は、作動のためにユーザによってアクセスすることができる。静止位置（例えば、ユーザによって作動されていないとき）では、背面部分４０は、背面カバー２２の表面と同一平面とすることができる。背面部分４０は、背面カバー２２内にスプラインを形成することができ、それにより、背面部分４０の表面は、背面カバー２２の表面と連続している。背面部分４０は、背面カバー２２の表面の輪郭と一致する輪郭を有する。ボタン３４は、筐体開口部２６を少なくとも部分的に通って延びることができる溝部分４４を更に含む。溝部分４４は、ボタン３４が作動されると、取り付けユニット１２のラグ８に係合することができる。背面部分４０と溝部分４４との間に、ボタン３４は、他の構造体と係合するためのフランジ４２を含む。
【００４７】
いくつかの実施形態によれば、ボタン３４の背面部分４０は、キャップ（図示せず）を含む又はそれに結合することができる。キャップは、異なる材料とする、及び／又は背面部分４０とは異なる装飾的特徴を有することができる。例えば、キャップは、背面カバー２２の表面と装飾的に適合することができる。キャップの少なくとも一部は、カバー開口部２４に向かって、又はカバー開口部２４を通って外向きに延びる。
【００４８】
ボタン３４は、静止位置に付勢される。いくつかの実施形態によれば、ボタン３４は、フランジ４２が背面カバー２２に押圧されるように付勢される。１つ以上のばね要素４６は、ボタン３４（例えば、フランジ４２）と本体部１４との間に設けることができる。いくつかの実施形態によれば、ばね要素４６は、コイルばね、圧縮ばね、板ばね、トーションばね、カンチレバーバネ、又は弾性材料の構造体を含むことができる。
【００４９】
ばね要素は、カバー開口部２４内に又は背面カバー２２にボタン３４を付勢することができる。バネ要素４６はまた、本体部１４、筐体開口部２６、及び／又は取り付けユニット１２のラグ８から離れるようにボタン３４を付勢することができる。バネ要素４６は、少なくともユーザによってボタン３４が押圧されると、ボタン３４に力を印加する。この力は、カバー開口部２４に対して垂直とすることができ、それにより、ボタン３４は、その片側に偏向されるのではなく、カバー開口部２４内で半径方向に位置合わせされる。バネ要素４６は、押圧されていない場合にボタン３４に力を印加し続けることができるため、ボタンは、ラグ８から離れる方向に維持される。ボタン３４はユニボディー構造体であるため、バネ要素４６が作用してフランジ４２を背面カバー２２に押圧している場合に、ボタン３４の全ての部分の位置は予測可能である。例えば、フランジ４２の移動及び位置は、ばね要素４６の付勢及び背面カバー２２によって提供される限界に基づいて制御される。したがって、背面部分４０及び溝部分４４は、全ての部分がユニボディー構造体であるフランジ４２に直接関係して移動され、位置決めされる。この結果、ボタン３４全体は、複数の組み立てられた部品のボタンで必要とされる公差よりも小さい公差で本体部１４及び背面カバー２２に対して嵌合するような、サイズ及び成形を有することができる。
【００５０】
図７は、本開示の１つ以上の実施形態に係る、ボタンがユーザによって作動された状態の、図６のウォッチ１０の断面図を示す。取り付けユニット１２を溝１６から解放するために、ボタン３４が作動されている。作動されると、ボタン３４は、ボタン３４の溝部分４４が筐体開口部２６に向かってかつそれを部分的に通って移動するように、移動することができる。ボタン３４の作動により、ラグ８を筐体開口部２６から排出する。図８に示すように、これにより、取り付けユニット１２が、本体部１４の溝１６内で再び自由に移動若しくは摺動する、又は溝１６の前面から引き出されることも可能になる。例えば、作動されると、ボタン３４は、溝部分４４が溝１６の表面と同一平面になるように、移動することができる。溝部分４４は、本体部１４内にスプラインを形成することができ、それにより、溝部分４４の表面は、溝１６の表面と連続している。溝部分４４は、溝１６の表面の輪郭と一致する輪郭を有する。解放されると、ボタン３４は、ばね要素４６の作用によって静止位置に戻ることができる。
【００５１】
いくつかの実施形態によれば、例えば、図９に示すように、ボタン３４は、様々なばね要素のうちの１つ以上により付勢される。例えば、１つ以上の延長アーム５２は、ボタン３４から本体部１４に向かって延びることができる。延長アーム５２は、連続構造体の一部とすることができる。延長アーム５２は、例えば、溶接又はオーバーモールディングによって、ボタン３４に一体化することができる。延長アーム５２のそれぞれは、本体部１４に取り付けられた対応する保持部材５４に固定される。延長アーム５２は、弾性とすることができ、これにより、保持部材５４に対して押圧し、ボタン３４を背面カバー２２に対して付勢するのに役立つ。
【００５２】
ボタン３４を背面カバー２２に対して付勢するための他の構成が想到される。例えば、ボタン３４は、ボタン３４及び背面カバー２２に接続されたばね要素により背面カバー２２に対して付勢することができる。ばね要素は、ボタンが押圧されると伸びて、ボタンに対して張力を加えボタンを背面カバー２２に付勢する、ボタン３４と背面カバー２２との間の引張りばねを含むことができる。バネ要素は、ボタン３４と背面カバー２２との間でなくてもよい。例えば、バネ要素は、溝１６に向いたボタン３４の面をボタン３４の周辺部の外側の背面カバー２２の一部分に接続することができる。
【００５３】
いくつかの実施形態によれば、例えば、図１０に示すように、ボタン３４及びカバー開口部２４は、カバー開口部２４内のボタンの半径方向の位置合わせを容易にする相補的な形状を有する。図１０に示すように、ボタン３４の背面部分４０は、その深さに沿ってテーパ状の断面寸法を有することができる。カバー開口部２４も、その深さに沿ってテーパ状の断面寸法を有することができる。いずれかに対する形状は、例えば、錐台（例えば、円錐台形など）を形成することができる。この形状は、カバー開口部２４内に軸方向に移動することによって、ボタン３４がカバー開口部２４内で半径方向に位置合わせされるように、相補的とすることができる。半径方向の偏芯が生じる場合、カバー開口部２４内に再度入ることにより、適切な位置合わせを回復することができる。更に、ボタン３４の表面が背面カバー２２の表面と同一平面にあるとき、ボタン３４とカバー開口部２４との間の係合を行なうことができる。
【００５４】
したがって、本開示の実施形態は、ウォッチバンドの取り付けユニットをウォッチ筐体の溝に保持しそれから解放するためのボタン（例えば、ユニボディーボタン）を提供する。ボタンは、ウォッチ筐体と、ボタンが付勢される背面カバーとの間に移動可能に収容される。ユニボディー構成により、ボタンは、小さな公差で製造することができる。小型ユニボディー部品の製造は、複数の構成部品よりも簡単かつ安価である。部品の総数は低減され、それによって、組立を簡単にする。ボタンの構成部品間のインタフェースを排除することにより、ボタンの１つの部分における動作（例えば、力、付勢、及び係合）は、ボタンの他の部分に直接転換する。周囲表面に対するボタンの組立公差及びその後の外見の変動は、ボタン組立要件の排除により低減される。
【００５５】
単数形のエレメントへの言及は、具体的に述べられていない限り、１つ及び唯一のものを意味するものではなく、むしろ１つ以上を意味することを意図している。例えば、「ａ」モジュールは、１つ以上のモジュールを指すことができる。「ａ」、「ａｎ」、「ｔｈｅ」、又は「ｓａｉｄ」によって続けられたエレメントは、更なる制約なしに、追加の同じエレメントの存在を排除しない。
【００５６】
もしあれば、見出し及び小見出しは、便宜上のみに使用され、発明を限定しない。例示的という単語は、例又は例示として働くことを意味するために使用される。含む、有するなどの用語が使用される限りにおいて、そのような用語は、備えるが特許請求の範囲において移行語として使用されるときに解釈されるように、備えるという用語と同様の方法で包括的であることを意図する。第１及び第２などの関係的な用語は、そのようなエンティティ又はアクション間の実際のそのような関係又は順序を必ずしも要求又は示唆することなく、あるエンティティ又はアクションを別のエンティティ又はアクションから区別するために使用され得る。
【００５７】
１つの態様、その態様、別の態様、いくつかの態様、１つ以上の態様、１つの実装形態、その実装形態、別の実装形態、いくつかの実装形態、１つ以上の実装形態、１つの実施形態、その実施形態、別の実施形態、いくつかの実施形態、１つ以上の実施形態、１つの構成、その構成、別の構成、いくつかの構成、１つ以上の構成、主題の技術、開示、本開示、それらの他の変形、及び同様のフレーズは、便宜上のものであり、そのようなフレーズ（単数又は複数）に関する開示が主題の技術に不可欠であること、又はそのような開示が主題の技術の全ての構成に適用されること、の意味を含むものではない。そのようなフレーズ（単数又は複数）に関する開示は、全ての構成、又は１つ以上の構成に適用することができる。そのようなフレーズ（単数又は複数）に関する開示は、１つ以上の例を提供することができる。態様又はいくつかの態様などのフレーズは、１つ以上の態様を指すことができ、その逆も同様であり、これは他の前述のフレーズと同様に適用される。
【００５８】
本明細書で使用する、一連の項目に先行する「少なくとも１つ」というフレーズは、項目のいずれかを分離する「及び」又は「又は」という用語とともに、リストの各要素ではなく、全体としてリストを修飾する。「少なくとも１つ」というフレーズは、各項目の少なくとも１つの選択を必要とはせず、むしろ、そのフレーズは、項目のうちのいずれか１つの少なくとも１つ、及び／又は項目の任意の組み合わせのうちの少なくとも１つ、及び／又は項目のそれぞれのうちの少なくとも１つ、を含む意味を可能にする。例として、「Ａ、Ｂ、及びＣのうちの少なくとも１つ」又は「Ａ、Ｂ、又はＣのうちの少なくとも１つ」というフレーズは、それぞれが、Ａのみ、Ｂのみ、又はＣのみ、Ａ、Ｂ、及びＣの任意の組み合わせ、並びに／又は、Ａ、Ｂ、及びＣのそれぞれのうちの少なくとも１つを指す。
【００５９】
開示されたステップ、操作、又は工程の特定の順序又は階層は、例示的なアプローチの一例であることが理解されよう。特に明記しない限り、ステップ、操作、又は工程の特定の順序又は階層は、異なる順序で実行されてもよいことが理解されよう。一部のステップ、操作、又は工程のいくつかは、同時に実行されてもよい。もしあれば、付随する方法の特許請求の範囲は、サンプル順序での様々なステップ、操作、又は工程のエレメントを提示し、提示された特定の順序又は階層に限定されることを意味しない。これらは、連続的に、直線的に、並行して、又は異なる順序で実行されてもよい。説明された命令、操作、及びシステムは、一般に、単一のソフトウェア／ハードウェア製品に一緒に統合され得るか、又は複数のソフトウェア／ハードウェア製品にパッケージ化され得ることが理解されるべきである。
【００６０】
一つの態様では、結合された、などの用語は、直接的に結合されていることを指すことがある。別の態様では、結合された、などの用語は、間接的に結合されていることを指すことがある。
【００６１】
頂部、底部、前部、後部、側部、水平、垂直などの用語は、通常の重力基準フレームではなく、任意の基準フレームを指す。したがって、このような用語は、重力基準フレームにおいて、上方、下方、斜め、又は水平に延在することができる。
【００６２】
本開示は、当業者が本明細書で説明した様々な態様を実施することを可能にするために提供される。一部の例では、主題技術の概念を不明瞭にすることを避けるために、周知の構造体及び構成要素がブロック図の形式で示されている。本開示は、主題技術の様々な例を提供するものであり、主題技術はこれらの例に限定されない。これらの態様に対する様々な変更は、当業者には容易に明らかであり、本明細書で説明される原理は、他の態様にも適用することができる。
【００６３】
当業者に知られているか又は後に知られるようになる、本開示を通じて説明される様々な態様のエレメントに対する全ての構造的及び機能的な均等物は、参照により明示的に本明細書に組み込まれ、かつ、特許請求の範囲に包含されるものと意図する。更に、本明細書で開示されたいかなるものも、そのような開示が特許請求の範囲に明白に列挙されているかどうかにかかわらず、公共に捧げられることを意図しない。いかなる特許請求の範囲のエレメントも、エレメントがフレーズ「手段（means for）」を使用して明示的に列挙するか、又は方法の請求項の場合には、エレメントがフレーズ「ステップ（step for）」を使用して列挙しない限り、米国特許法第３５条１１２項第６パラグラフの規定に基づいて解釈されるべきではない。
【００６４】
発明の名称、背景、図面の簡単な説明、要約、及び図面は、これによって本開示に組み込まれ、限定的な説明ではなく、本開示の用例として提供される。それらは、請求項の範囲又は意味を制限するために使用されないことを理解して提出されている。加えて、詳細な説明では、説明が用例を提供し、様々な特徴が開示を合理化する目的で様々な実装形態において一緒にグループ化されていることが分かり得るであろう。開示された方法は、特許請求された主題が、それぞれの請求項において明示的に列挙されているよりも多くの特長を必要とするという意図を表すものと、解釈してはならない。むしろ、特許請求の範囲が表すように、本発明の主題は、単一の開示された構成又は動作の全ての特徴よりも少ない。特許請求の範囲は、これによって詳細な説明に組み込まれ、各請求項は、別々に請求される主題として独立して存在している。
【００６５】
特許請求の範囲は、本明細書に記載される態様に限定されることを意図するものではなく、特許請求の範囲の文言と一致する全ての範囲が与えられ、全ての法的等価物を包含するものとする。それにもかかわらず、請求項のいずれも、適用され得る特許法の要件を満たし損なう主題を包含することを意図するものではなく、そのように解釈されるべきでもない。
【図１】
2019536998.tif 000003
【図２】
2019536998.tif 000004
【図３】
2019536998.tif 000005
【図４】
2019536998.tif 000006
【図５】
2019536998.tif 000007
【図６】
2019536998.tif 000008
【図７】
2019536998.tif 000009
【図８】
2019536998.tif 000010
【図９】
2019536998.tif 000011
【図１０】
2019536998.tif 000012
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
第１の開口部、及びウォッチバンドを受け入れるためのバンド保持機構を有する本体部と、
第２の開口部を有する背面カバーと、
フランジを含み、前記第１の開口部及び第２の開口部を少なくとも部分的に通って延びるボタンと、
前記フランジと前記本体部との間のばね要素と、
を備える、ウォッチ筐体。
【請求項２】
ユーザに視覚出力を表示し、ユーザからタッチ入力を受け取るように構成されたタッチスクリーンと、
マイクロフォンと、
スピーカと、
別のデバイスと無線で通信するための通信構成要素と、
前記背面カバーを介してユーザの特性を検出するように構成されたセンサと、
を更に備える、請求項１に記載のウォッチ筐体。
【請求項３】
光源及び光検出器を含むフォトプレチスモグラフィセンサを更に備え、
前記背面カバーは、前記光源からの光を透過するための第１の窓、及び前記光検出器への光を透過するための第２の窓を含む、請求項１に記載のウォッチ筐体。
【請求項４】
ユーザの心電（ＥＣＧ）特性を検出するように構成されたセンサを更に備え、前記背面カバーは、前記センサに動作可能に接続された電極を含む、請求項１に記載のウォッチ筐体。
【請求項５】
前記第１の開口部及び前記第２の開口部は、前記ウォッチ筐体内の連続空間を形成するように接続されている、請求項１に記載のウォッチ筐体。
【請求項６】
前記フランジは、前記ボタンの第１の部分と前記ボタンの第２の部分との間にある、請求項１に記載のウォッチ筐体。
【請求項７】
前記ボタンは、前記第１の部分が少なくとも部分的に前記第１の開口部内にある第１の位置と、前記第２の部分が少なくとも部分的に前記第２の開口部内にある第２の位置との間で移動可能である、請求項１に記載のウォッチ筐体。
【請求項８】
前記ボタンは、前記第２の開口部を介してユーザによってアクセス可能である、請求項１に記載のウォッチ筐体。
【請求項９】
ウォッチバンドを受け入れるためのバンド保持機構を有する本体部と、
背面カバーと、
少なくとも部分的に前記本体部と前記背面カバーとの間にあるボタンと、
を備えるウォッチ筐体であって、
前記ボタンは前記背面カバーに向かって付勢され、前記ボタンは、押圧されると、前記バンド保持機構から前記ウォッチバンドを解放し、前記バンド保持機構に対する前記ボタンの移動が前記本体部によって制限されている、
ウォッチ筐体。
【請求項１０】
前記背面カバーを介してユーザの心拍数を感知するように構成されたセンサを更に備える、請求項９に記載のウォッチ筐体。
【請求項１１】
ユーザの心電（ＥＣＧ）特性を検出するように構成されたセンサを更に備え、前記背面カバーは前記センサに動作可能に接続された電極を含む、請求項９に記載のウォッチ筐体。
【請求項１２】
前記ボタンは、前記ボタンが前記背面カバーに対して静止する静止位置に付勢されている、請求項９に記載のウォッチ筐体。
【請求項１３】
前記ボタンは、前記静止位置にある間に、前記背面カバーの表面と同一平面かつ連続する表面を有する、請求項１２に記載のウォッチ筐体。
【請求項１４】
前記バンド保持機構は溝を含み、前記ボタンは、前記ボタンの表面が前記溝の表面と同一平面かつ連続するまで、前記溝に向かって移動可能である、請求項９に記載のウォッチ筐体。
【請求項１５】
前記ボタンは、押圧されると、前記ウォッチ筐体と相互作用する前記ウォッチバンドの部分を作動させる、請求項９に記載のウォッチ筐体。
【請求項１６】
ウォッチバンドを受け入れるための溝及び前記溝に延びる第１の開口部を有する本体部と、
第２の開口部を有する背面カバーと、
前記第１の開口部を少なくとも部分的に通って延びる第１の部分、前記第２の開口部を少なくとも部分的に通って延びる第２の部分、及び前記第１の部分と前記第２の部分との間のフランジを含む、ボタンと、
前記フランジと前記本体部との間のばね要素と、
を備えるウォッチ筐体であって、
前記ばね要素は前記背面カバーに前記フランジを付勢し、前記ボタンは、前記溝から前記ウォッチバンドを解放するように、前記背面カバーから離れる方向に押圧可能である、ウォッチ筐体。
【請求項１７】
前記背面カバーは前記本体部に結合され、
前記第１の開口部及び前記第２の開口部は、前記ウォッチ筐体内の連続空間を形成するように接続され、
前記フランジは、前記第１の開口部及び前記第２の開口部よりも大きい断面寸法を有し、
前記ボタンの前記第１の部分は前記第１の開口部内にスプラインを形成し、前記ボタンの前記第２の部分は前記第２の開口部内にスプラインを形成し、
前記ボタンは、前記第１の部分が前記溝と同一平面にある第１の位置と、前記第２の部分が前記背面カバーの表面と同一平面にある第２の位置との間で移動可能である、請求項１６に記載のウォッチ筐体。
【請求項１８】
前記ウォッチ筐体はセンサを含み、前記背面カバーは、前記センサへの光又は前記センサからの光を透過するための窓を含む、請求項１６に記載のウォッチ筐体。
【請求項１９】
前記ばね要素は、前記ボタンから前記本体部に取り付けられた保持部材まで延びる弾性アームを含む、請求項１６に記載のウォッチ筐体。
【請求項２０】
前記背面カバーの前記第２の開口部及び前記ボタンの前記第２の部分がそれぞれ、深さに沿ってテーパ状の断面寸法を有する、請求項１６に記載のウォッチ筐体。
【国際調査報告】
2019536998.tif 000013
2019536998.tif 000014